(57)【要約】      （修正有）【課題】噴霧対象に対し満遍なく容剤が自動噴霧されると共に、必要以上の容剤噴霧を抑制することが可能な容剤噴霧ボックスの提供。【解決手段】衣類を主とする布製品に対し除菌や消臭、芳香を施すための容剤噴霧ボックス１であって、周囲を側壁１１で囲まれ且つ天板１２及び底板１３を備えた中空部Ａを有する所要長さ・幅・高さを有する箱体１０から成り、天板若しくは側壁の所定箇所には投入口１４が開口され、側壁には取出口１６が開口され、天板、底板若しくは側壁の所定箇所に除菌剤や消臭剤、芳香剤等の容剤が充填された噴霧器Ｃの噴霧口Ｃ１を中空部に向けて装着可能な一乃至複数の装着部１８を設け、箱体の所定箇所には投入口から中空部内へ布製品が投入されたことを検知する検知機構を備え、検知機構によって投入口から布製品が投入されたことを検知するのと連動して、噴霧器の噴霧口から容剤が中空部内に自動で噴霧される容剤噴霧ボックス。【選択図】図１
2018086173.tif 000002
【特許請求の範囲】
【請求項１】
衣類を主とする布製品に対し除菌や消臭、芳香を施すための容剤噴霧ボックスであって、
前記容剤噴霧ボックスは、周囲を側壁で囲まれ且つ天板及び底板を備えた中空部を有する所要長さ・幅・高さを有する箱体から成り、
前記天板若しくは側壁の所定箇所には投入口が開口されて成り、
前記側壁の所定箇所には取出口が開口されて成り、
前記天板、底板若しくは側壁の所定箇所に除菌剤や消臭剤、芳香剤等の容剤が充填された噴霧器の噴霧口を前記中空部に向けて装着可能な一乃至複数の装着部が設けられて成り、
前記箱体の所定箇所には前記投入口から前記中空部内へ布製品が投入されたことを検知する検知機構が備えられて成り、
前記検知機構によって投入口から布製品が投入されたことを検知するのと連動して、前記噴霧器の噴霧口から容剤が中空部内に自動で噴霧されることを特徴とする容剤噴霧ボックス。
【請求項２】
前記検知機構が、投入口から中空部内へ布製品が落下する力を噴霧器から容剤を噴霧する力に転換するリンク機構から成ることを特徴とする請求項１記載の容剤噴霧ボックス。
【請求項３】
前記検知機構が、投入口を布製品が通過したことを検知する検知センサと、該検知センサからの検知信号を受けて噴霧器から容剤を噴霧するセンサ機構からなることを特徴とする請求項１記載の容剤噴霧ボックス。
【請求項４】
前記底板が通気性を備える格子状若しくは網状に形成されると共に、前記箱体の下方に所要高さを有する複数の脚部が備えられて成ることを特徴とする請求項１乃至請求項３のいずれかに記載の容剤噴霧ボックス。
【請求項５】
前記投入口に開閉可能な投入蓋体が備えられて成ることを特徴とする請求項１乃至請求項４のいずれかに記載の容剤噴霧ボックス。
【請求項６】
前記投入蓋体が、所定角度で起立状態を保持可能であることを特徴とする請求項５に記載の容剤噴霧ボックス。
【請求項７】
前記取出口に開閉可能な取出蓋体が備えられて成ることを特徴とする請求項１乃至請求項６のいずれかに記載の容剤噴霧ボックス。
【発明の詳細な説明】
【技術分野】
【０００１】
本発明は、衣類を主とする布製品に対し除菌や消臭、芳香を施す箱型のボックスに関するものである。
【背景技術】
【０００２】
衣類を主とする布製品に対し、除菌や消臭、芳香を施すための容剤を噴霧する噴霧器が種々提供されている。これらの容剤を噴霧する場合、室内や室外の所定空間において、噴霧対象から少し離れた箇所から噴霧器の噴霧口をその対象たる布製品に向けて、手動で直接噴霧するのが一般に行われる手法である。噴霧対象がパジャマなどの衣類であれば一度に１〜２回の手動噴霧で足りるが、タオルケットやシーツなどの比較的大きな布製品に対しては、全体に満遍なく行き届くよう、一度に多数回の噴霧動作が必要とされる。
【０００３】
ところで、このように容剤の噴霧を手動で直接行う場合に、噴霧口から噴霧された霧状の容剤の全てが布製品に届くのではなく、その大半は対象に届くまでの間に空中に飛散してしまい、その結果、無駄に噴霧されているのが現状である。このような無駄を無くすために、噴霧口を対象に近づけて噴霧することも考え得るが、その場合は噴霧範囲が狭くなってしまい、容剤を全体に満遍なく行き届かせるために、噴霧回数を増やす必要が生じると共に、必要以上の容剤使用を招いてしまうという問題があった。したがって、かかる容剤を噴霧する噴霧器において、噴霧対象に対し満遍なく容剤が噴霧されると共に、必要以上の容剤噴霧を抑制する技術が求められている。
【０００４】
上記のような問題を解決するため、例えば、開閉部の開閉に伴って屋内の臭いを消臭する噴霧剤を自動的に散布させる「開閉部の噴霧剤の噴霧機構」（特許文献１）が提案され、公知技術となっている。
【０００５】
しかしながら、かかる「開閉部の噴霧剤の噴霧機構」の提案は、住宅などの建築物に使用されているドアの開閉に伴って、芳香剤その他の噴霧剤をそのドア近傍の室内に噴霧させる開閉部の噴霧剤の噴霧機構に関するものであって、本願発明のように衣類を主とする布製品に対する技術提案ではなかった。
【０００６】
また、人間が加重する動作を利用して消臭剤散布装置の動作を開始させることにより自動的かつ確実に部屋の消臭処理を行うことのできる「自動消臭装置」（特許文献２）が提案され、公知技術となっている。
【０００７】
しかしながら、かかる「開閉部の噴霧剤の噴霧機構」の提案は、圧センサからの信号により超音波振動子が作動し、室内空間へ消臭剤容器から消臭剤を散布するものであって、上記同様、本願発明のような衣類を主とする布製品に対する技術提案ではなかった。
【０００８】
さらに、保冷、冷蔵、冷凍等の設備を有するトラックコンテナや倉庫に収納された商品の臭気を自動的に消臭するための「消臭剤散布システム」（特許文献３）が提案され、公知技術となっている。
【０００９】
しかしながら、かかる「消臭剤散布システム」の提案は、トラックコンテナや倉庫に収納された商品の臭気を自動的に消臭することで、異種商品の混載や以前に収納された商品の種類に関係なく、別商品の収納を可能にすると共に、トラックコンテナや倉庫の稼働率を向上させ、物流コストの上昇の原因を取り除くためのものであって、上記同様、本願発明のような衣類を主とする布製品に対する技術提案ではなかった。
【００１０】
本出願人は、衣類を主とする布製品に対して除菌剤や消臭剤、芳香剤を噴霧する場合の作業手間や無駄な容剤使用といった問題点に着目し、簡易な構造によって上記の問題を解決することができないものかという着想の下、所定空間内に投入することで噴霧対象に対し満遍なく容剤が自動噴霧されると共に、必要以上の容剤噴霧を抑制する装置を開発し、本発明における「容剤噴霧ボックス」の提案に至るものである。
【先行技術文献】
【特許文献】
【００１１】
【特許文献１】特開２００３−１８４４５１号公報
【特許文献２】特開平１０−２１１２６６号公報
【特許文献３】登録実用新案第３０４６１３９号公報
【発明の概要】
【発明が解決しようとする課題】
【００１２】
本発明は、上記問題点に鑑み、噴霧対象に対し満遍なく容剤が自動噴霧されると共に、必要以上の容剤噴霧を抑制することが可能な容剤噴霧ボックスを提供することを課題とする。
【課題を解決するための手段】
【００１３】
上記課題を解決するため、本発明は、衣類を主とする布製品に対し除菌や消臭、芳香を施すための容剤噴霧ボックスであって、前記容剤噴霧ボックスは、周囲を側壁で囲まれ且つ天板及び底板を備えた中空部を有する所要長さ・幅・高さを有する箱体から成り、前記天板若しくは側壁の所定箇所には投入口が開口されて成り、前記側壁の所定箇所には取出口が開口されて成り、前記天板、底板若しくは側壁の所定箇所に除菌剤や消臭剤、芳香剤等の容剤が充填された噴霧器の噴霧口を前記中空部に向けて装着可能な一乃至複数の装着部が設けられて成り、前記箱体の所定箇所には前記投入口から前記中空部内へ布製品が投入されたことを検知する検知機構が備えられて成り、前記検知機構によって投入口から布製品が投入されたことを検知するのと連動して、前記噴霧器の噴霧口から容剤が中空部内に自動で噴霧される手段を採用する。
【００１４】
また、本発明は、前記検知機構が、投入口から中空部内へ布製品が落下する力を噴霧器から容剤を噴霧する力に転換するリンク機構から成る手段を採用し得る。
【００１５】
さらに、本発明は、前記検知機構が、投入口を布製品が通過したことを検知する検知センサと、該検知センサからの検知信号を受けて噴霧器から容剤を噴霧するセンサ機構から成る手段を採用し得る。
【００１６】
またさらに、本発明は、前記底板が通気性を備える格子状若しくは網状に形成されると共に、前記箱体の下方に所要高さを有する複数の脚部が備えられて成る手段を採用し得る。
【００１７】
さらにまた、本発明は、前記投入口に開閉可能な投入蓋体が備えられて成る手段を採用し得る。
【００１８】
そしてまた、本発明は、前記投入蓋体が、所定角度で起立状態を保持可能である手段を採用し得る。
【００１９】
そしてさらに、本発明は、前記取出口に開閉可能な取出蓋体が備えられて成る手段を採用し得る。
【発明の効果】
【００２０】
本発明にかかる容剤噴霧ボックスによれば、検知機構によって投入口から布製品が投入されたことを検知するのと連動して、噴霧器の噴霧口から容剤が中空部内に自動で噴霧される手段を採用するため、手動噴霧による手間を省くことができる、といった優れた効果を奏する。
【００２１】
また、本発明にかかる容剤噴霧ボックスによれば、周囲を側壁で囲まれ且つ天板及び底板を備えた中空部内に投入された布製品に対し容剤噴霧を行うため、容剤が無駄に空中へ飛散することなく、噴霧対象に対し満遍なく容剤噴霧が可能になる、といった優れた効果を奏する。
【００２２】
さらに、本発明にかかる容剤噴霧ボックスによれば、中空部内へ一定量の容剤噴霧が自動で為されるため、必要以上の容剤噴霧を抑制することができる、といった優れた効果を奏する。
【図面の簡単な説明】
【００２３】
【図１】本発明にかかる容剤噴霧ボックスの実施形態を示す斜視図である。
【図２】本発明にかかる容剤噴霧ボックスの投入蓋体を示す説明図である。
【図３】本発明にかかる容剤噴霧ボックスの検知機構を示す説明図である。
【発明を実施するための形態】
【００２４】
本発明にかかる容剤噴霧ボックス１は、投入口１４から中空部Ａ内へ布製品が投入されたことを検知機構２０によって検知するのと連動して、噴霧器Ｃの噴霧口Ｃ１から容剤Ｗが中空部Ａ内へ自動で噴霧される手段を採用したことを最大の特徴とする。
以下、本発明にかかる容剤噴霧ボックス１の実施形態を、図面に基づいて説明する。
【００２５】
尚、本発明は、以下に述べる実施形態に限定されるものではなく、本発明の技術的思想の範囲内、すなわち同一の作用効果を発揮できる形状や寸法等の範囲内で、適宜変更することができる。
【００２６】
図1は、本発明にかかる容剤噴霧ボックス１の実施形態を示す説明図である。
本発明にかかる容剤噴霧ボックス１は、周囲を側壁１１で囲まれ、且つ、天板１２及び底板１３を備えた中空部Ａを有する所要長さ・幅・高さを有する箱体１０により構成されている。
【００２７】
容剤噴霧ボックス１の全体外観形状について、図面では直方形状を為す場合について示しているが、図示形状以外に例えば円筒形状や多角筒形状など、側壁１１と天板１２と底板１３を備えた箱体１０であれば、その外観形状について限定するものではない。
【００２８】
天板１２若しくは側壁１１の所定箇所には、中空部Ａ内へ衣類を主とする布製品を投入するための投入口１４が開口されている。図１及び図２（ａ）は天板１２に投入口１４が開口された場合について示しており、図２（ｂ）側壁１１に投入口１４が開口された場合について示している。該投入口１４には、図面に示すように、ヒンジ機構等を介して開閉可能な投入蓋体１５を備える態様が考え得る。該投入蓋体１５を備えることで、布製品の投入後に投入口１４を閉口して、噴霧した容剤Ｗが投入口１４から空中へ飛散するのを抑制することが可能となる。
【００２９】
投入蓋体１５を備える態様を採用した場合に、図２に示すように、開口時に該投入蓋体１５が天板１２若しくは側壁１１に対し所定角度θで起立した状態のまま保持される態様が望ましい。かかる態様を採用することで、投入蓋体１５が布製品を投入する際の誘導板としての機能を発揮し得ることとなる。すなわち、少し離れた場所から布製品を投入口１４へ投げ入れようとした場合に、投入蓋体１５の底面にむかって投げることで、布製品は該底面を滑落して投入口１４に誘導され、中空部Ａ内へ投入されることとなる。
【００３０】
側壁１１の所定箇所には、中空部Ａ内の布製品を取り出すための取出口１６が開口されている。前記取出口１６には、図面で示すように、ヒンジ機構等を介して開閉可能な取出蓋体１７を備える態様が考え得る。このとき、取出蓋体１７について、ヒンジ機構ではなく引き出し式に構成することも可能で、引き出し式の取出蓋体１７を引き出すことで、中空部Ａ内の布製品も同時に引き出される態様が可能である。該取出蓋体１７を備えることで、噴霧した容剤Ｗが取出口１６から空中へ飛散するのを抑制することが可能となる。
【００３１】
また、天板１２、底板１３若しくは側壁１１の所定箇所には、噴霧器Ｃを装着可能な装着部１８が設けられている。該装着部１８は、天板１２、底板１３若しくは側壁１１の所定箇所に少なくとも一つ、若しくは、二以上の複数設けられ、噴霧器Ｃの噴霧口Ｃ１を中空部Ａに向けた状態で装着可能となっている。該装着部１８の形態について、図面で示すように、天板１２や底板１３、側壁１１を凹状に抉ることで噴霧器Ｃが外周内に収まるように設ける態様のほか、天板１２や底板１３、側壁１１の外側に載置可能に設ける態様も可能である。装着部１８が一つの場合は、装着される噴霧器Ｃも一つであるため、例えば消臭などの一つの目的に応じた容剤Ｗを充填した一の噴霧器Ｃのみが装着される。これに対し、装着部１８が二以上の複数の場合は、複数の噴霧器Ｃが装着可能であって、例えば消臭と芳香、除菌と消臭など複数の目的に応じて各種容剤Ｗを充填した噴霧器Ｃを複数ある装着部１８に夫々装着可能である。
【００３２】
噴霧器Ｃは、内部に容剤Ｗが充填され、噴霧口Ｃ１から該容剤Ｗを布製品に対し噴霧するものであって、市販のものを用いれば足りる。もちろん、本発明の構造に合致するような専用の噴霧器Ｃを開発・採用してもよい。充填される容剤Ｗについては、噴霧態様である布製品に如何なる容剤Ｗを噴霧するか、その目的に合わせて多種多様の容剤Ｗが考えられ、特に限定するものではない。容剤Ｗの具体例を挙げるならば、消臭剤や芳香剤、除菌剤や香水、その他種々のものが考え得る。
【００３３】
底板１３の構造については、特に限定するものではなく、閉塞板状とする態様も可能であるが、通気性を備えることが好ましく、例えば図面に示すように、格子状とする態様が考え得る。このように底板１３を格子状とすることで、中空部Ａ内に投入された布製品から発生する埃や糸くずなどを底板１３下方へ廃出すること可能となる。尚、単に通気性を備える構造としては、格子状のほか、網状に形成する態様も考え得る。
【００３４】
底板１３を格子状若しくは網状に形成した場合において、通気性を備えるためには、底板１３下方に所要の空隙が必要となる。そこで、箱体１０の下方には、図示のとおり、空隙を形成するための脚部１９が備えられている。該脚部１９は、空隙を形成すべく所要高さを有し、一の箱体１０に対し複数の脚部１９が備えられている。
【００３５】
箱体１０の所定箇所には、投入口１４から中空部Ａ内へ布製品が投入されたことを検知するための検知機構２０が備えられている。図３は、本発明にかかる容剤噴霧ボックス１の検知機構２０を示す説明図である。該検知機構２０は、布製品の投入に連動して、容剤Ｗの噴霧を自動的に行うためのものであり、その具体的構造については、図３（ａ）に示すリンク機構２１と、図３（ｂ）に示すセンサ機構２４とが考え得る。
【００３６】
リンク機構２１は、検知機構２０を機械的・力学的な構造とした場合の代表例であって、投入検知アーム２１ａとリンクアーム２１ｂと付勢部２１ｃとから構成されている。
投入検知アーム２１ａは、投入口１４から布製品が投入されたことを直接的に検知するもので、所要形状を有する棒状体若しくは板状体から成り、支点を中心に先端部と基端部とが上下に遊動可能となっている。該投入検知アーム２１ａの先端部は、投入口１４に迫り出すように配置されると共に、投入検知アーム２１ａの基端部は、リンクアーム２１ｂの接続端部と回動可能に接続されている。
リンクアーム２１ｂは、投入検知アーム２１ａの動作に連動して噴霧器Ｃの噴霧口Ｃ１から容剤Ｗが噴霧するようにプッシュ操作を行うもので、所要形状を有する棒状体若しくは板状体から成り、支点を中心に接続端部と押圧部とが上下に遊動可能となっている。該リンクアーム２１ｂの先端部は、投入検知アーム２１ａの基端部と回動可能に接続されると共に、リンクアーム２１ｂの押圧部は、噴霧器Ｃの噴霧ボタンＣ２をプッシュ可能な位置に配置されている。
付勢部２１ｃは、布製品の落下力を受けた投入検知アーム２１ａを元の位置に戻すためのもので、コイルバネや板バネ等のバネ部材から成り、投入検知アーム２１ａに対し付勢力を与え得る箇所に適宜配置されている。
【００３７】
以上の構造から成るリンク機構２１は、投入検知アーム２１ａの先端部とリンクアーム２１ｂの接続端部が力点、投入検知アーム２１ａの基端部とリンクアーム２１ｂの押圧部が作用点となり、投入検知アーム２１ａの先端部が布製品の落下力を受けて下方に遊動すると共に基端部は上方へ遊動し、それに連動してリンクアーム２１ｂの接続端部が上方に遊動すると共に押圧部が下方へ遊動することで、該押圧部が噴霧器Ｃの噴霧ボタンＣ２をプッシュして、容剤Ｗが噴霧口Ｃ１から噴霧される。そして、付勢部２１ｃの付勢力により投入検知アーム２１ａが元の位置に戻されることで、それに連動してリンクアーム２１ｂも元の位置に戻される。
【００３８】
センサ機構２４は、検知機構２０を電気的な構造とした場合の代表例であって、光学センサ２４ａと制御部２４ｂと駆動部２４ｃとから構成されている。
光学センサ２４ａは、投入口１４から布製品が投入されたことを間接的に検知するもので、光学カメラから成り、目前を布製品が通過すると検知信号を発するセンサとして機能する。該光学センサ２４ａは、投入口１４近傍の所定箇所に配置されると共に、布製品の通過を検知した信号は、制御部２４ｂへと送信される。
制御部２４ｂは、噴霧器Ｃからの容剤Ｗの噴霧を電子制御するものであって、例えばＣＰＵ並びに該ＣＰＵを動作させる制御プログラムが記憶されたＲＯＭ等により構成されており、基本的動作として光学センサ２４ａの検知信号を受けて噴霧器Ｃの噴霧口Ｃ１から容剤Ｗが噴霧するように指令を送信するものである。
駆動部２４ｃは、噴霧器Ｃから容剤Ｗを噴霧するもので、制御部２４ｂからの指令を受けて噴霧器Ｃの噴霧ボタンＣ２に対しプッシュ動作を行うものである。
【００３９】
以上の構造から成るセンサ機構２４は、光学センサ２４ａが布製品が投入口１４へ投入されたことを検知してその検知信号を制御部２４ｂへ送り、該検知信号を受信することで制御部２４ｂは駆動部２４ｃへ適宜噴霧指令を送信し、該噴霧指令を受けて駆動部２４ｃが噴霧器Ｃの噴霧ボタンＣ２をプッシュして、容剤Ｗが噴霧口Ｃ１から噴霧されることとなる。尚、当該センサ機構２４が制御部２４ｂを介して電気的に噴霧動作を行う態様であることから、投入された布製品の大きさ等に応じて容剤Ｗの噴霧量（噴霧時間）を変更させたり、布製品の投入とリアルタイムに連動させた噴霧を行うのではなく時差噴霧を行うなど、制御プログラムの内容によって多様な噴霧動作が可能である。
【００４０】
以上で構成される本発明にかかる容剤噴霧ボックス１は、検知機構２０によって投入口１４から布製品が投入されたことを検知するのと連動して、噴霧器Ｃの噴霧口Ｃ１から容剤Ｗが中空部Ａ内に自動で噴霧されることから、手動噴霧による手間を省くことができると共に、容剤Ｗが無駄に空中へ飛散することなく、噴霧対象たる布製品に対し満遍なく容剤Ｗを噴霧することが可能となり、さらには、必要以上の容剤Ｗの噴霧抑制にも資するものである。
【産業上の利用可能性】
【００４１】
本発明は、衣類を主とする布製品に対し除菌や消臭、芳香を施すための容剤を噴霧する場合に、手動噴霧による手間を省きつつ、噴霧対象に対し満遍なく容剤噴霧が可能であることから、本発明にかかる「容剤噴霧ボックス」の産業上の利用可能性は極めて大であるものと思料する。
【符号の説明】
【００４２】
１    容剤噴霧ボックス
１０    箱体
１１    側壁
１２    天板
１３    底板
１４    投入口
１５    投入蓋体
１６    取出口
１７    取出蓋体
１８    装着部
１９    脚部
２０    検知機構
２１    リンク機構
２１ａ  投入検知アーム
２１ｂ  リンクアーム
２１ｃ  付勢部
２４    センサ機構
２４ａ  光学センサ
２４ｂ  制御部
２４ｃ  駆動部
Ａ    中空部
Ｃ    噴霧器
Ｃ１  噴霧口
Ｃ２  噴霧ボタン
Ｗ    容剤
【図１】
2018086173.tif 000003
【図２】
2018086173.tif 000004
【図３】
2018086173.tif 000005